(57)【特許請求の範囲】
【請求項１】
通信制御装置に接続された着信受付け端末別に動作不能状態の場合に着信要求を転送する一つあるいは複数の着信受付け端末の識別情報と、常時データ交換を行うよう指示する同期指示情報とを端末制御情報に予め設定し、起動時に前記端末制御情報を参照して転送元の着信受付け端末に同期指示情報を伝達して、予め設定され一つだけ選定された転送先の着信受付け端末と常時データ交換を行うよう指示するとともに、着信時に着信データの着信先に指定された着信受付け端末の動作可否をチェックして動作不能状態の場合に、前記端末制御情報を参照して、予め設定され一つだけ選定された転送先の着信受付け端末に、着信要求を転送する着信制御処理部（８）を備える、ことを特徴とする通信制御装置。
【請求項２】
前記着信制御処理部（８）は、通信制御装置に接続された動作不能状態の着信受付け端末が動作可能となった時に、その事象を自動的に検知して、前記端末制御情報の当該の着信受付け端末の動作状態判定に動作可能と記録する手段を有する、ことを特徴とする請求項１に記載の通信制御装置。
【請求項３】
前記着信制御処理部（８）は、転送先の着信受付け端末からの更新データの取り込みを指示する復旧指示情報を前記端末制御情報に予め設定して、前記端末制御情報の着信受付け端末毎の動作状態判定を参照し、動作可能と記録されていた場合に、当該の着信受付け端末に転送先の着信受付け端末から更新データを取り込むよう前記復旧指示情報を伝達して指示する手段を有する、ことを特徴とする請求項２に記載の通信制御装置。
【発明の詳細な説明】
【０００１】
【発明の属する技術分野】
本発明は、ネットワークからの着信時に、着信データの着信先に指定された着信受付け端末が動作不能状態の場合に通信を可能として運用を改善する通信制御装置に関するものである。
【０００２】
【従来の技術】
図１５は従来技術の図を示すものである。同図において、ＩＳＤＮ通信制御装置５１は、ＩＳＤＮ通信制御処理部５６、ルーティング処理部５７から構成される。
【０００３】
ＩＳＤＮ通信制御処理部５６はＩＳＤＮ網（ディジタル総合サービス網）５３上の任意の端末である端末５２との接続を行い、ルーティング処理部５７はＩＳＤＮ通信制御装置５１に接続されたＬＡＮ（ローカルエリアネットワーク）上の着信受付け端末である端末５４や端末５５と接続している。
【０００４】
また、図１６は従来技術のフローチャートである。同図はＩＳＤＮ通信制御処理部５６における着信処理の手順を説明している。
【０００５】
Ｓ８１：ＩＳＤＮ通信制御処理部５６は、ＩＳＤＮ網５３に接続された端末５２からの着信を待つ。
【０００６】
Ｓ８２：ＩＳＤＮ通信制御処理部５６は、着信を受けると着信データの着信先として指定された端末５４あるいは端末５５に着信を伝達する。
【０００７】
ＩＳＤＮ通信制御処理部５６は、上記のようにＩＳＤＮ網５３上の端末５２から例えば端末５４を指定して着信が有った場合に、着信データで着信先として指定された端末５４だけが動作不能状態であっても、通信ができない。
【０００８】
なお、ここで、ＩＳＤＮ通信制御処理部５６が着信受付け端末を動作不能状態と判別する場合の状態として、例えば着信受付け端末の未接続、電源断、ハング、リブート等が上げられる。
【０００９】
着信受付け端末の未接続とはＩＳＤＮ通信制御装置５１に着信受付け端末が接続されていないことを言い、電源断とは着信受付け端末の電源が入っていないことを言い、ハングとは着信受付け端末のＣＰＵ（中央処理装置）がプログラムのバグなどが原因で処理依頼を受付けられない状態を言い、リブートは着信受付け端末が電源起動中の状態にあることを言う。
【００１０】
【発明が解決しようとする課題】
前記のごとく、従来の技術では次のような問題点がある。
【００１１】
ＩＳＤＮ通信制御処理部５６は接続された着信受付け端末への着信処理を行う場合、着信データで着信先に指定された着信受付け端末が動作不能状態の場合に、通信ができないという問題があった。
【００１２】
そのため、本発明の課題は、以下のとおりである。
【００１３】
ネットワークからの着信時において、着信データに着信先として指定された着信受付け端末が動作不能状態の場合に、別の着信受付け端末に着信要求を転送して通信を可能とすること、転送先の着信受付け端末が転送元着信受付け端末と同一のデータを保持すること。また、転送元着信受付け端末が動作可能となった場合に再度通信に使用可能とすること。また、動作可能となった転送元着信受付け端末に転送先着信受付け端末の更新データを取り込み、以降の着信を転送元着信受付け端末に行うようにして、運用を改善することにある。
【００１４】
【課題を解決するための手段】
前記の問題点を解決する請求項１に係る通信制御装置の発明は、通信制御装置に接続された着信受付け端末別に動作不能状態の場合に着信要求を転送する一つあるいは複数の着信受付け端末の識別情報と、常時データ交換を行うよう指示する同期指示情報とを端末制御情報に予め設定し、起動時に前記端末制御情報を参照して転送元の着信受付け端末に同期指示情報を伝達して、予め設定され一つだけ選定された転送先の着信受付け端末と常時データ交換を行うよう指示するとともに、着信時に着信データの着信先に指定された着信受付け端末の動作可否をチェックして動作不能状態の場合に、前記端末制御情報を参照して、予め設定され一つだけ選定された転送先の着信受付け端末に、着信要求を転送する着信制御処理部（８）を備える、ことを特徴とするものである。
【００１５】
これにより、発信元は着信先として指定した着信受付け端末が動作不能状態であっても、通信が可能になるとともに、発信元に転送を意識させない着信受付けを可能とする。
【００１６】
請求項２に係る発明は、請求項１に記載の通信制御装置において、前記着信制御処理部（８）は、通信制御装置に接続された動作不能状態の着信受付け端末が動作可能となった時に、その事象を自動的に検知して、前記端末制御情報の当該の着信受付け端末の動作状態判定に動作可能と記録する手段を有する、ことを特徴とするものである。
【００１７】
これにより、転送元着信受付け端末を再度通信に使用可能とする。
【００１８】
請求項３に係る発明は請求項２に記載の通信制御装置において、前記着信制御処理部（８）は、転送先の着信受付け端末からの更新データの取り込みを指示する復旧指示情報を前記端末制御情報に予め設定して、前記端末制御情報の着信受付け端末毎の動作状態判定を参照し、動作可能と記録されていた場合に、当該の着信受付け端末に転送先の着信受付け端末から更新データを取り込むよう前記復旧指示情報を伝達して指示する手段を有する、ことを特徴とするものである。
【００１９】
これにより、動作可能となった転送元着信受付け端末に転送先着信受付け端末の更新データを取り込み、以降の着信を転送元着信受付け端末に行うことができる。
【００２０】
【発明の実施の形態】
本発明は、次に示す実施の形態を取った。
【００２１】
図１は本発明の構成図である。
【００２２】
同図において、通信制御装置１は、通信制御処理部６、着信制御処理部８、ルーティング処理部７から構成される。
【００２３】
通信制御処理部６は、ネットワーク網３上の任意の発信元端末である端末２との接続を行い、着信制御処理部８、ルーティング処理部７を介して通信制御装置１に接続された着信受付け端末の端末４あるいは端末５と接続している。
【００２４】
着信制御処理部８は、通信制御装置１に接続された着信受付け端末別に動作不能状態の場合に着信要求を転送する一つあるいは複数の着信受付け端末の識別情報と、常時データ交換を行うよう指示する同期指示情報とを記憶部９の端末制御情報に予め設定して、起動時に端末制御情報を参照して転送元の着信受付け端末に同期指示情報を伝達して、予め設定され一つだけ選定された転送先の着信受付け端末と常時データ交換を行うよう指示するとともに、着信時に着信データの着信先に指定された着信受付け端末の動作可否をチェックして動作不能状態の場合に、端末制御情報を参照して、予め設定され一つだけ選定された転送先の着信受付け端末に、着信要求を転送する。
【００２５】
また、着信制御処理部８は、通信制御装置１に接続された動作不能状態の着信受付け端末が動作可能となった時に、その事象を自動的に検知して、端末制御情報の当該の着信受付け端末の動作状態判定に動作可能と記録する。
【００２６】
また、着信制御処理部８は、通信制御装置１に接続された着信受付け端末別に動作不能状態の場合に着信要求を転送する一つあるいは複数の着信受付け端末の識別情報と、転送先着信受付け端末からの更新データの取り込みを指示する復旧指示情報とを記憶部９の端末制御情報に予め設定して、端末制御情報の着信受付け端末別の動作状態判定を参照し、動作可能と記録されていた場合に、当該の着信受付け端末に転送先着信受付け端末から更新データを取り込むよう復旧指示情報を伝達して指示する。
【００２７】
また、着信制御処理部８は、前記端末制御情報の追加、削除を前記着信制御処理部８が提供するコマンド１０から任意に設定する。
【００２８】
また、着信制御処理部８は、前記端末制御情報の追加、削除を前記着信制御処理部８が提供する設定画面１１から任意に設定する。
【００２９】
また、着信制御処理部８は、追加、削除した端末制御情報を記憶部９に保持する。
【００３０】
ルーティング処理部７は、着信制御処理部８と、ＩＳＤＮ通信制御装置１に接続された着信受付け端末４及び着信受付け端末５との双方向のデータ転送を行う。
【００３１】
着信受付け端末４、着信受付け端末５は通信とデータ処理が行える例えばローカルエリアネットワーク上の端末やＵＳＢ（Ｕｎｉｖｅｒｓａｌ ＳｉｒｉａｌＢｕｓ）インタフェース上の端末である。ここでは着信受付け端末５を着信受付け端末４が動作不能な場合の転送先の着信受付け端末の場合で説明する。
【００３２】
着信受付け端末４はデータ同期手段１２とデータ復旧手段１３とを持つ。
【００３３】
データ同期手段１２は着信制御処理部８から起動され、転送先に指定された着信受付け端末が同一のデータを保持するよう着信制御処理部８から伝達された同期指示情報を基に常時データ交換を行う。
【００３４】
また、データ復旧手段１３は、着信制御処理部８から起動され、着信制御処理部８から伝達された復旧指示情報を基に転送先の着信受付け端末から更新データの取り込みを行う。
【００３５】
要するに通信制御装置１は、着信時に着信データの着信先に指定された着信受付け端末が動作不能状態の場合に予め設定され選定された一つの転送先の着信受付け端末に着信要求を転送する。また、転送元の着信受付け端末は、予め設定され選定された一つの転送先の着信受付け端末が同一のデータを保持するよう常時データ交換を行う。また、転送元の着信受付け端末の動作不能状態から動作可能状態への変移を検知し、動作可能な状態と記録する。また、転送元の着信受付け端末が動作可能な状態になると、転送先の着信受付け端末から更新データを取り込む。
【００３６】
これにより、着信データの着信先に指定された着信受付け端末が動作不能状態の場合に、予め設定され選定された一つの転送先着信受付け端末に着信要求を転送して通信を可能とする。また、転送元着信受付け端末は予め設定され選定された一つの転送先着信受付け端末と常時データ交換を行って、発信元に転送を意識させない着信受付けを可能とする。また、転送元着信受付け端末の動作不能状態から動作可能状態への変移の検知を可能とし、動作可能となると転送先着信受付け端末から転送元着信受付け端末に更新データを取り込むことで転送元着信受付け端末に以降の着信を行うことができる。
【００３７】
すなわち、図１の構成図に示すように通信制御装置１は、通信制御装置１に接続された着信受付け端末別に動作不能状態の場合に着信要求を転送する一つあるいは複数の着信受付け端末の識別情報と、常時データ交換を行うよう指示する同期指示情報とを端末制御情報に予め設定し、起動時に前記端末制御情報を参照して転送元の着信受付け端末に同期指示情報を伝達して、予め設定され一つだけ選定された転送先の着信受付け端末と常時データ交換を行うよう指示するとともに、着信時に着信データの着信先に指定された着信受付け端末の動作可否をチェックして動作不能状態の場合に、前記端末制御情報を参照して、予め設定され一つだけ選定された転送先の着信受付け端末に、着信要求を転送する着信制御処理部８を備える。
【００３８】
上記の形態をとることにより、着信データの着信先に指定された着信受付け端末が動作不能状態の場合に、転送先着信受付け端末に着信要求を転送して通信を可能とするとともに、発信元に転送を意識させない着信受付けを可能とする。
【００３９】
さらに、前記着信制御処理部８は、通信制御装置１に接続された動作不能状態の着信受付け端末が動作可能となった時に、その事象を自動的に検知して、端末制御情報の当該の着信受付け端末の動作状態判定に動作可能と記録する手段を有する。
【００４０】
上記の形態をとることにより、転送元着信受付け端末を再度通信に使用可能とする。
【００４１】
さらに、前記着信制御処理部８は、通信制御装置１に接続された着信受付け端末別に動作不能状態の場合に着信要求を転送する一つあるいは複数の着信受付け端末の識別情報と、転送先着信受付け端末からの更新データの取り込みを指示する復旧指示情報とを端末制御情報に予め設定して、端末制御情報の着信受付け端末別の動作状態判定を参照し、動作可能と記録されていた場合に、当該の着信受付け端末に転送先着信受付け端末から更新データを取り込むよう復旧指示情報を伝達して指示する手段を有する。
【００４２】
上記の形態をとることにより、動作可能となった転送元着信受付け端末に転送先着信受付け端末の更新データを取り込み、以降の着信を転送元着信受付け端末に行うことができる。
【００４３】
さらに、前記通信制御装置１は、前記端末制御情報の追加、削除を前記着信制御処理部８が提供するコマンドから任意に設定できる手段を有する。
【００４４】
上記の形態をとることにより、通信の運用を改善可能とする端末制御情報をコマンドから任意に指定できる。
【００４５】
さらに、前記通信制御装置１は、前記端末制御情報の追加、削除を前記着信制御処理部８が提供する設定画面から任意に設定できる手段を有する。
【００４６】
上記の形態をとることにより、通信の運用を改善可能とする端末制御情報を設定画面から任意に指定できる。
【００４７】
さらに、前記着信制御処理部８は、追加、削除した端末制御情報とを記憶部９に保持する手段を有する。
【００４８】
上記の形態をとることにより、通信の運用を改善可能とする端末制御情報を通信制御装置１に装備する。
【００４９】
【実施例】
この発明による代表的な実施例を以下に説明する。なお、以下において、同じ箇所は同一の符号を付してあり、詳細な説明を省略することがある。また、以降に説明するネットワークの通信プロトコルとしてはＩＰプロトコルを使用し、説明を簡単にするためＩＰアドレスを３桁と簡略化しているが、実際にはＴＣＰ／ＩＰの規約に基づき設定する。
【００５０】
図２は本発明の参考例の構成図である。
【００５１】
同図において２１はＩＳＤＮ通信制御装置であり、ＩＳＤＮ通信制御処理部２６と、着信制御処理部８と、ルーティング処理部７と、タッチパネル２８とから構成される。ＩＳＤＮ通信制御処理部２６はＩＳＤＮ網２３上の任意の発信元端末の端末２との接続を行い、着信制御処理部８、ルーティング処理部７を介してＩＳＤＮ通信制御装置２１に接続された着信受付け端末でローカルエリアネットワーク上の端末のＬＡＮ端末２４と、ＬＡＮ端末２５とに接続している。なお、ＬＡＮ端末２４と、ＬＡＮ端末２５とにＩＰアドレスとして、それぞれ５１５と、５１６とが付けられているとする。
【００５２】
着信制御処理部８は、着信時にＩＳＤＮ通信制御装置２１に接続されたＬＡＮ端末２４と、ＬＡＮ端末２５との動作可否をチェックして、全ての着信受付け端末が動作不能状態の場合に、着信処理を行わないで、発信元端末に着ユーザビジーを応答する。
【００５３】
また、着信制御処理部８は、ＩＳＤＮ通信制御装置２１に接続された全ての着信受付け端末が動作不能状態の場合に着信処理を行うか行わないかを記憶部９ａの着信制御情報に設定すると共に、着信時にＩＳＤＮ通信制御装置２１に接続されたＬＡＮ端末２４と、ＬＡＮ端末２５との動作可否をチェックして、ＬＡＮ端末２４と、ＬＡＮ端末２５とが動作不能状態の場合に、着信制御情報を参照して、ＩＳＤＮ通信制御装置２１に接続された全ての着信受付け端末が動作不能状態の場合に着信処理を行うと設定されていた場合は着信データの着信先に指定された着信受付け端末への着信処理を行い、ＩＳＤＮ通信制御装置２１に接続された全ての着信受付け端末が動作不能状態の場合に着信処理を行わないと設定されていた場合は着信処理を行わず、発信元端末に着ユーザビジーを応答する。
【００５４】
また、着信制御処理部８は、ＩＳＤＮ通信制御装置２１に接続された着信受付け端末別に動作不能状態の場合に着信処理を行うか行わないかを記憶部９ａの着信制御情報に予め設定して、着信時に、着信データの着信先として指定された着信受付け端末の動作可否をチェックして動作不能状態だった場合に、着信制御情報を参照して、当該の着信受付け端末が動作不能状態の場合に着信処理を行うと設定されていた場合に着信データの着信先に指定された着信受付け端末に着信処理を行い、当該の着信受付け端末が動作不能状態の場合に着信処理を行わないと設定されていた場合に着信処理は行わず、発信元端末に着ユーザビジーを応答する。
【００５５】
また、着信制御処理部８は、タッチパネル２８を使って前記着信制御情報の追加または削除を行う。なお、前記着信制御情報を任意に設定する詳細説明は後述する。
【００５６】
また、着信制御処理部８は、追加または削除した着信制御情報を記憶部９ａに保持する。
【００５７】
なお、図４に記憶部９ａに保持する着信制御情報の構成を示す。着信制御情報は処理対象の着信受付け端末を指定する端末ＩＰアドレスと、その処理対象の着信受付け端末が動作不能状態の場合の着信処理とからなる。図４（ａ）はＩＳＤＮ通信制御装置２１に接続された全ての着信受付け端末が動作不能状態の場合に着信処理を行わないと設定されていることを示し、図４（ｂ）はＩＳＤＮ通信制御装置２１に接続された全ての着信受付け端末が動作不能状態の場合に着信処理を行うと設定されていることを示す。
【００５８】
また、図４（ｃ）は着信受付け端末別に動作不能状態の場合に着信処理を行うか行わないかを設定した例であり、端末ＩＰアドレスが５１５の着信受付け端末は着信処理を行わないと設定されていることを示し、端末ＩＰアドレスが５１６の着信受付け端末は着信処理を行うと設定されていることを示す。
【００５９】
ルーティング処理部７は、着信制御処理部８と、ＩＳＤＮ通信制御装置２１に接続されたＬＡＮ端末２４及びＬＡＮ端末２５との双方向のデータ転送を行う。
【００６０】
ＬＡＮ端末２４、ＬＡＮ端末２５は通信とデータ処理が行える端末である。
【００６１】
要するにＩＳＤＮ通信制御装置２１は、着信時に全ての着信受付け端末が動作不能状態の場合に着信処理を行わずに着ユーザビジーの応答を発信元端末に返す。また、ＩＳＤＮ通信制御装置２１に接続された全ての着信受付け端末が動作不能状態の場合に着信処理を行うか行わないかを設定可能とした場合に、着信時に全ての着信受付け端末が動作不能状態の場合に、着信処理を行わないと設定されていた場合に着信処理を行わずに発信元端末に着ユーザビジーを返し、着信処理を行うと設定されていた場合に従来どおりに着信処理を行う。また、ＩＳＤＮ通信制御装置２１に接続された着信受付け端末別に動作不能状態の場合に着信処理を行うか行わないかを設定可能とした場合に、着信時に着信データの着信先に指定された着信受付け端末が動作不能状態の場合に、着信処理を行わないと設定されていた場合に、着信処理を行わずに着ユーザビジーの応答を発信元端末に返す。
【００６２】
これにより、着信受付け端末が全て動作不能状態の場合に、着信処理を行わないことで発信元への不要な課金を防止する。また、発信元は着ユーザビジーが応答されることで全ての着信受付け端末が動作不能状態と分かり通信を停止できる。また、着信受付け端末が全て動作不能状態の場合に、着信処理を行わずに着ユーザビジーを応答するか、従来どおりに着信処理を行うかを選択できる。また、着信データの着信先に指定された特定の着信受付け端末が動作不能状態の場合に、着信処理を行わないことで発信元への不要な課金を防止する。
【００６３】
図３は本発明の一実施例の構成図である。
【００６４】
同図において２１はＩＳＤＮ通信制御装置であり、ＩＳＤＮ通信制御処理部２６と、着信制御処理部８と、ルーティング処理部７とから構成される。ＩＳＤＮ通信制御処理部２６はＩＳＤＮ網２３上の任意の発信元端末の端末２との接続を行い、着信制御処理部８、ルーティング処理部７を介してＩＳＤＮ通信制御装置２１に接続された着信受付け端末でＵＳＢ端末のＵＳＢ端末３１と、ＵＳＢ端末３４と、ＵＳＢ端末３５とに接続している。
【００６５】
着信制御処理部８は、ＩＳＤＮ通信制御装置２１に接続された着信受付け端末別に動作不能状態の場合に着信要求を転送する一つあるいは複数の着信受付け端末のＩＰアドレスと、常時データ交換を行うよう指示する同期指示情報とを記憶部９ｂの端末制御情報に予め設定して、起動時に端末制御情報を参照して転送元の着信受付け端末に同期指示情報を伝達して、予め設定された転送先の着信受付け端末から起動時に動作可能かをチェックして一つに選定された転送先の着信受付け端末と常時データ交換を行うよう指示するとともに、着信時に着信データの着信先に指定された着信受付け端末の動作可否をチェックして動作不能状態の場合に、端末制御情報を参照して、予め設定された転送先の着信受付け端末から起動時に動作可能かをチェックして一つに選定された転送先の着信受付け端末に、着信要求を転送する。
【００６６】
また、着信制御処理部８は、ＩＳＤＮ通信制御装置２１に接続された動作不能状態の着信受付け端末が動作可能となった時に、その事象を自動的に検知して、端末制御情報の当該の着信受付け端末の動作状態判定に動作可能と記録する。
【００６７】
また、着信制御処理部８は、ＩＳＤＮ通信制御装置２１に接続された着信受付け端末別に動作不能状態の場合に着信要求を転送する一つあるいは複数の着信受付け端末のＩＰアドレスと、転送先着信受付け端末からの更新データの取り込みを指示する復旧指示情報とを記憶部９ｂの端末制御情報に予め設定して、端末制御情報の着信受付け端末別の動作状態判定を参照し、動作可能と記録されていた場合に、当該の着信受付け端末に転送先着信受付け端末から更新データを取り込むよう復旧指示情報を伝達して指示する。
【００６８】
また、着信制御処理部８は、ＩＳＤＮ通信制御装置２１に接続された操作端末の端末３６からの操作指示に従って前記端末制御情報の追加または削除を行う。なお、前述の図２で示したタッチパネル２８からの操作指示に従って前記端末制御情報の追加または削除を行ってもよい。なお、前記端末制御情報を任意に設定する詳細説明は後述する。
【００６９】
また、着信制御処理部８は、追加または削除した端末制御情報を記憶部９ｂに保持する。なお、図５に記憶部９ｂに保持する端末制御情報の構成を示す。端末制御情報は処理対象の着信受付け端末を指定する端末ＩＰアドレスと、その動作状態判定と、動作不能状態の場合に着信要求を転送する転送先着信受付け端末のＩＰアドレス１と、ＩＰアドレス２と、二つの転送先着信受付け端末の内、起動時に動作可否をチェックして転送先として選定した着信受付け端末のＩＰアドレスの選択端末ＩＰアドレスと、常時データ交換を行うよう指示する同期指示情報と、転送先着信受付け端末からの更新データの取り込みを指示する復旧指示情報とからなる。図５は処理対象の着信受付け端末のＩＰアドレスが５１５で、動作状態判定は動作不可、転送先着信受付け端末のＩＰアドレスとして５１６と５１７とが、転送先として選定された着信受付け端末のＩＰアドレスが５１６、同期指示情報に同期開始、復旧指示情報に復旧開始と設定または記録されていることを示す。
【００７０】
ルーティング処理部７は、着信制御処理部８と、ＩＳＤＮ通信制御装置２１に接続されたＵＳＢ端末３１、ＵＳＢ端末３４、ＵＳＢ端末３５との双方向のデータ転送を行う。
【００７１】
ＵＳＢ端末３１、ＵＳＢ端末３４、ＵＳＢ端末３５は通信とデータ処理が行える端末である。ここではＵＳＢ端末３４とＵＳＢ端末３５とはＵＳＢ端末３１が動作不能状態の場合の転送先として使用の着信受付け端末として説明する。
【００７２】
ＵＳＢ端末３１はデータ同期処理部３２とデータ復旧処理部３３とを持つ。
【００７３】
データ同期処理部３２は着信制御処理部８から起動され、転送先に指定された着信受付け端末が同一のデータを保持するよう着信制御処理部８から伝達された同期指示情報を基に常時データ交換を行う。
【００７４】
また、データ復旧処理部３３は、着信制御処理部８から起動され、着信制御処理部８から伝達された復旧指示情報を基に転送先の着信受付け端末から更新データの取り込みを行う。
【００７５】
要するにＩＳＤＮ通信制御装置２１は、着信時に着信データの着信先に指定された着信受付け端末が動作不能状態の場合に、予め設定され選定された一つの転送先の着信受付け端末に着信要求を転送する。また、転送元の着信受付け端末は、転送先の着信受付け端末が同一のデータを保持するよう常時データ交換を行う。また、転送元の着信受付け端末の動作不能状態から動作可能状態への変移を検知し、動作状態判定に動作可能な状態と記録する。また、転送元の着信受付け端末の動作状態判定に動作可能な状態と記録されていると、転送先の着信受付け端末から更新データを取り込む。
【００７６】
これにより、着信データの着信先に指定された着信受付け端末が動作不能状態の場合に、予め設定され選定された一つの転送先着信受付け端末に着信要求を転送して通信を可能とする。また、転送元着信受付け端末は転送先着信受付け端末と常時データ交換を行って、発信元に転送を意識させない着信受付けを可能とする。また、転送元着信受付け端末の動作不能状態から動作可能状態への変移の検知を可能とし、動作可能となると転送先着信受付け端末から転送元着信受付け端末に更新データを取り込むことで転送元着信受付け端末に以降の着信を行うことができる。
【００７７】
つぎに、図２の参考例において着信制御情報を任意に設定する例を説明する。
【００７８】
まず、ＩＳＤＮ通信制御装置２１に接続された全ての着信受付け端末が動作不能状態の場合に着信処理を行わずに着ユーザビジーを応答させる場合のコマンドからの設定を以下に続く２行に示す。
＃ｗａｎ ｄａｔａｒｅｃｖ ｎｏ
＃ｗａｎ ｄａｔａｒｅｃｖ ｍａｃｈｉｎｅ ａｌｌ
【００７９】
１行目は着信受付け端末が動作不能状態の場合に着信処理を行わないことを示し、２行目は処理対象とする着信受付け端末はＩＳＤＮ通信制御装置２１に接続された全ての着信受付け端末であることを示す。
【００８０】
なお、上記コマンドの１行目のｎｏをｙｅｓと変えた場合に、着信時全ての着信受付け端末が動作不能状態の場合、従来のように着信処理を行うよう設定できる。
【００８１】
また、ＩＳＤＮ通信制御装置２１に接続された着信受付け端末別に動作不能状態の場合に着信処理を行うか行わないかを設定する場合のコマンドからの設定を図６に示す。
【００８２】
１行目は着信受付け端末が動作不能状態の場合に着信処理を行わないことを示し、２行目は直前行のコマンドの処理対象とする着信受付け端末はＩＳＤＮ通信制御装置２１に接続されたＩＰアドレスが５１５の着信受付け端末であることを示す。３行目は着信受付け端末が動作不能状態の場合に着信処理を行うことを示し、４行目は直前行のコマンドの処理対象とする着信受付け端末はＩＳＤＮ通信制御装置２１に接続されたＩＰアドレスが５１６の着信受付け端末であることを示す。
【００８３】
また、ＩＳＤＮ通信制御装置２１に接続された全ての着信受付け端末が動作不能状態の場合に着信処理を行わずに着ユーザビジーを応答させる場合の設定画面からの設定を図８に示す。この例では、全ての着信受付け端末が動作不能状態の場合は、着信処理を行わないと設定した例を示している。なお、全ての着信受付け端末が動作不能状態の場合に着信処理を行うか行わないかの設定を削除する場合は設定削除を選択することで削除できる。
【００８４】
また、ＩＳＤＮ通信制御装置２１に接続された着信受付け端末別に動作不能状態の場合に着信処理を行うか行わないかを設定画面から設定する場合の例を図９に示す。この例では、ＩＰアドレスが５１５の着信受付け端末は着信処理を行わないと設定し、ＩＰアドレスが５１６の着信受付け端末は着信処理を行うと設定した例を示している。
【００８５】
つぎに、図３の実施例において端末制御情報を任意に設定する例を説明する。
【００８６】
ＩＳＤＮ通信制御装置２１に接続された着信受付け端末別に動作不能状態の場合に着信要求を別の着信受付け端末に転送させる場合の転送先を設定するコマンドからの設定例を図７に示す。
【００８７】
１行目は特定の着信受付け端末が動作不能状態の場合に着信要求を別の着信受付け端末に転送させることを示し、２行目は処理対象とする転送元着信受付け端末はＩＳＤＮ通信制御装置２１に接続されたＩＰアドレスが５１５の着信受付け端末であることを示す。３行目と４行目は転送先の着信受付け端末が二つあり、ＩＰアドレスが５１６と５１７の二つあることを示す。
【００８８】
また、ＩＳＤＮ通信制御装置２１に接続された着信受付け端末別に動作不能状態の場合に着信要求を別の着信受付け端末に転送させる場合の転送先を設定する設定画面からの設定例を図１０に示す。この例ではＩＰアドレスが５１５の転送元着信受付け端末に対してＩＰアドレスが５１６と５１７との二つの転送先着信受付け端末が設定されていることを示している。
【００８９】
つぎに、図２および図３に示したＩＳＤＮ通信制御装置の処理手順について説明する。
【００９０】
図１１は図２において着信時に全ての着信受付け端末が動作不能状態の場合に着信処理を行わずに発信元に着ユーザビジーの応答を返して不要な課金を発生しないようにする着信制御処理部８の処理のフローチャートである。
【００９１】
Ｓ０１：ＩＳＤＮ通信制御処理部２６からの着信伝達を待つ。
【００９２】
Ｓ０２：着信を伝達されるとＩＳＤＮ通信制御装置２１に接続された全ての着信受付け端末の動作可否をチェックする。
【００９３】
Ｓ０３：ＩＳＤＮ通信制御装置２１に接続されたＬＡＮ端末２４と、ＬＡＮ端末２５とが共に動作不能状態の場合はＳ０４の処理に進む。一方、共に動作可能かどちらかが動作可能の場合はＳ０６の処理に分岐する。
【００９４】
Ｓ０４：着信処理は行わずに、発信元端末の端末２に着ユーザビジーを応答する。
【００９５】
Ｓ０５：ＩＳＤＮ通信制御処理装置２１の電源が切断された場合は処理を終了し、切断されない場合はＳ０１の処理に戻る。
【００９６】
Ｓ０６：着信データの着信先に指定された着信受付け端末への着信処理を行い、Ｓ０５の処理に分岐する。
【００９７】
図１２は図２において全ての着信受付け端末が動作不能状態の場合に着信処理を行うか行わないかを予め設定できるようにして、着信時に全ての着信受付け端末が動作不能状態の場合、設定に合わせて着信処理を行わずに発信元に着ユーザビジーの応答を返すか、あるいは着信処理を行うようにする着信制御処理部８の処理のフローチャートである。
【００９８】
Ｓ２１：操作者が全ての着信受付け端末が動作不能状態の場合に着信処理を行うか行わないかを追加あるいは削除する。ついで、追加した着信制御情報を記憶部９ａに保持し、削除した着信制御情報を記憶部９ａから削除して更新する。
【００９９】
Ｓ２２：ＩＳＤＮ通信制御処理部２６からの着信伝達を待つ。
【０１００】
Ｓ２３：着信を伝達されるとＩＳＤＮ通信制御装置２１に接続された全ての着信受付け端末の動作可否をチェックする。
【０１０１】
Ｓ２４：ＩＳＤＮ通信制御装置２１に接続されたＬＡＮ端末２４と、ＬＡＮ端末２５とが共に動作不能状態の場合はＳ２５の処理に進む。一方、共に動作可能あるいはどちらか一方が動作可能な場合はＳ２８の処理に分岐する。
【０１０２】
Ｓ２５：着信制御情報を参照して、全ての着信受付け端末が動作不能状態の場合に着信処理を行わないと設定されている場合はＳ２６の処理に進み、行うと設定されていた場合はＳ２８の処理に進む。
【０１０３】
Ｓ２６：着信処理は行わずに発信元の端末２に着ユーザビジーを応答する。
【０１０４】
Ｓ２７：ＩＳＤＮ通信制御処理装置２１の電源が切断された場合は処理を終了し、切断されない場合はＳ２２の処理に戻る。
【０１０５】
Ｓ２８：着信データの着信先に指定された着信受付け端末への着信処理を行い、Ｓ２７の処理に分岐する。
【０１０６】
図１３は図２において着信受付け端末別に動作不能状態の場合に着信処理を行うか行わないかを予め設定できるようにして、着信時に着信データの着信先に指定された着信受付け端末が動作不能状態の場合、設定に合わせて着信処理を行わずに発信元に着ユーザビジーの応答を返すか、あるいは着信処理を行うようにする着信制御処理部８の処理のフローチャートである。
【０１０７】
Ｓ４１：操作者が追加した処理対象とする着信受付け端末のＩＰアドレスと、その着信受付け端末が動作不能状態の場合に着信処理を行うか行わないかとの着信制御情報を設定する。また、操作者が削除した処理対象とする着信受付け端末のＩＰアドレスと、その着信受付け端末が動作不能状態の場合に着信処理を行うか行わないかとの着信制御情報を削除する。ついで、追加あるいは削除した着信制御情報を記憶部９ａに保持する着信制御情報に追加あるいは削除し、着信制御情報を更新する。
【０１０８】
Ｓ４２：ＩＳＤＮ通信制御処理部２６からの着信伝達を待つ。
【０１０９】
Ｓ４３：着信を伝達されると着信データの着信先に指定された着信受付け端末の動作可否をチェックする。
【０１１０】
Ｓ４４：指定の着信受付け端末が動作不能状態の場合はＳ４５の処理に進む。一方、動作可能な場合はＳ４８の処理に分岐する。
【０１１１】
Ｓ４５：着信制御情報を参照して、当該の着信受付け端末が動作不能状態の場合に着信処理を行わないと設定されている場合はＳ４６の処理に進み、行うと設定されていた場合はＳ４８の処理に進む。
【０１１２】
Ｓ４６：着信処理は行わずに発信元の端末２に着ユーザビジーを応答する。
【０１１３】
Ｓ４７：ＩＳＤＮ通信制御処理装置２１の電源が切断された場合は処理を終了し、切断されない場合はＳ４２の処理に戻る。
【０１１４】
Ｓ４８：着信データの着信先に指定された着信受付け端末への着信処理を行い、Ｓ４７の処理に分岐する。
【０１１５】
図１４は本発明の一実施例のフローチャートを示す。この例では着信時に着信データの着信先に指定された着信受付け端末が動作不能状態の場合に、着信要求を予め設定され選定された一つの転送先着信受付け端末を使って通信を可能とし、その転送先着信受付け端末に転送元着信受付け端末と同一データを保持させて発信元に転送を意識させない着信受付けを可能とし、また、転送元着信受付け端末の動作不能状態から動作可能状態への変移を検知可能として、動作可能となると、転送先着信受付け端末の更新データを転送元着信受付け端末に取り込んで、以降の着信を転送元着信受付け端末に行えるようにする着信制御処理部８の処理を説明する。
【０１１６】
Ｓ６１：操作者が追加した処理対象とする着信受付け端末のＩＰアドレスと、その着信受付け端末が動作不能状態の場合に着信要求を転送する予備を含めた二つの転送先着信受付け端末のＩＰアドレスとの端末制御情報を設定する。また、操作者が削除した処理対象とする着信受付け端末のＩＰアドレスと、その着信受付け端末が動作不能状態の場合に着信要求を転送する予備を含めた二つの転送先着信受付け端末のＩＰアドレスとの端末制御情報を削除する。
【０１１７】
ついで、端末制御情報を参照して、追加した処理対象とする着信受付け端末のＩＰアドレス毎に対で、動作状態判定に初期状態を示す０と、ＩＰアドレス１とＩＰアドレス２とに設定された着信受付け端末の動作可否を順にチェックしていち早く動作可能と判別した着信受付け端末のＩＰアドレスを設定した選択端末ＩＰアドレスと、常時データ交換を行うよう指示する同期指示情報と、転送先着信受付け端末からの更新データの取り込みを指示する復旧指示情報とを設定する。ついで、設定あるいは削除した端末制御情報を記憶部９ｂに保持する端末制御情報に反映させる。ついで、端末制御情報を参照して転送元であり処理対象の着信受付け端末毎に、対で設定された同期指示情報を伝達して常時データ交換を行うよう指示する。
【０１１８】
Ｓ６２：ＩＳＤＮ通信制御処理部２６からの着信伝達を待つ。
【０１１９】
Ｓ６３：着信を伝達されると着信データの着信先に指定された着信受付け端末の動作可否をチェックする。
【０１２０】
Ｓ６４：指定の着信受付け端末が動作不能状態の場合はＳ６５の処理に進む。一方、動作可能な場合はＳ６８の処理に分岐する。
【０１２１】
Ｓ６５：端末制御情報を参照して、着信要求を当該の着信受付け端末のＩＰアドレスに一致する端末ＩＰアドレスに対で設定された選択端末ＩＰアドレスの着信受付け端末に転送する。しかるのち、端末制御情報の当該の端末ＩＰアドレスに対で設けられた動作状態判定を動作不可と設定する。
【０１２２】
Ｓ６６：端末制御情報の動作状態判定を昇順に参照し、動作不可と設定されていた場合に、対で設定された端末ＩＰアドレスのＩＰアドレスで指定される着信受付け端末の動作可否をチェックし、動作可能であれば、動作可と全て書き換える。ついで、端末制御情報の動作状態判定を昇順に参照し、動作可と設定されていた場合に、対で設定された端末ＩＰアドレスのＩＰアドレスで指定される着信受付け端末に、同じく対で設定された復旧指示情報を伝達して指示し、同じく対に設定された選択端末ＩＰアドレスで指定される転送先着信受付け端末から更新データの取り込みを行い、動作可と記載されていた動作状態判定に初期状態を示す０を設定する。
【０１２３】
Ｓ６７：ＩＳＤＮ通信制御処理装置２１の電源が切断された場合は処理を終了し、切断されない場合はＳ６２の処理に戻る。
【０１２４】
Ｓ６８：着信データの着信先に指定された着信受付け端末への着信処理を行い、Ｓ６６の処理に分岐する。
【０１２５】
【発明の効果】
この発明により、以下に示すような効果が期待できる。着信時に着信データの着信先に指定された特定の着信受付け端末が動作不能状態の場合に予め転送先に指定された別の着信受付け端末に着信要求を転送させて通信を可能とするとともに、転送先着信受付け端末に転送元着信受付け端末と同一データを保持させて発信元に転送を意識させない着信受付けを可能とし、また、転送元着信受付け端末の復旧により転送先着信受付け端末の保持する更新データを取り込むことで、以降の着信を転送元着信受付け端末に行うことができる。
【図面の簡単な説明】
【図１】  本発明の原理構成図である。
【図２】  本発明の参考例の構成図である。
【図３】  本発明の一実施例の構成図である。
【図４】  本発明の参考例の図である。
【図５】  本発明の一実施例の図である。
【図６】  本発明の参考例の図である。
【図７】  本発明の一実施例の図である。
【図８】  本発明の参考例の図である。
【図９】  本発明の参考例の図である。
【図１０】  本発明の一実施例の図である。
【図１１】  本発明の参考例のフローチャートである。
【図１２】  本発明の参考例のフローチャートである。
【図１３】  本発明の参考例のフローチャートである。
【図１４】  本発明の一実施例のフローチャートである。
【図１５】  従来技術の構成図である。
【図１６】  従来技術のフローチャートである。
【符号の説明】
１  通信制御装置
２  端末
３  ネットワーク網
４、５  着信受付け端末
６  通信制御処理部
７  ルーティング処理部
８  着信制御処理部
９  記憶部
１０  コマンド
１１  設定画面
１２  データ同期手段
１３  データ復旧手段
【図１】
0003793047.tif 000002
【図２】
0003793047.tif 000003
【図３】
0003793047.tif 000004
【図４】
0003793047.tif 000005
【図５】
0003793047.tif 000006
【図６】
0003793047.tif 000007
【図７】
0003793047.tif 000008
【図８】
0003793047.tif 000009
【図９】
0003793047.tif 000010
【図１０】
0003793047.tif 000011
【図１１】
0003793047.tif 000012
【図１２】
0003793047.tif 000013
【図１３】
0003793047.tif 000014
【図１４】
0003793047.tif 000015
【図１５】
0003793047.tif 000016
【図１６】
0003793047.tif 000017